(57)【要約】【課題】煩わしい操作を行うことなく遠隔操作を行うことを可能にし、より使い勝手のよいホームネットワークを構築できるようにする。【解決手段】ユーザーからの指示入力に応じて生成された選択信号に応じて、ＲＯＭ１３２から予め決められたコントロールパネルＣＰを読み出し、これをＬＣＤ１０７に表示する。コントロールパネルＣＰに対する操作入力に応じた操作信号を生成し、これを送信処理部を通じてベース装置送信する。この後、ベース装置から、操作信号に対応して取得された映像信号から変換された情報信号が送信されてくるので、これを受信処理部１０３を通じて受信し、デコード部１０４を通じて映像を表示するための映像信号に変換して、これに応じた映像をＬＣＤ１０７に表示する。【選択図】図２
2006311593.tif 000002
【特許請求の範囲】
【請求項１】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置であって、
指示入力に応じて表示すべき操作用表示情報を選択するための選択信号を生成する選択信号生成手段と、
操作入力に応じて前記ベース装置を制御する操作情報を含む第１の操作用表示情報と、操作入力に応じて前記外部入力機器を制御する操作情報を含む第２の操作用表示情報とを記憶する記憶手段と、
前記記憶手段から、前記選択信号生成手段により生成された前記選択信号に応じて、前記第１又は前記第２の操作用表示情報を読み出す操作用表示情報読出手段と、
前記操作用表示情報読出手段によって読み出された前記操作用表示情報を表示する表示手段と、
前記表示手段に表示されている前記操作用表示情報に対して操作入力がされた場合に、前記操作用表示情報に対する前記操作入力に応じた操作信号を生成する操作入力受付手段と、
前記操作入力受付手段において生成された前記操作信号を前記ベース装置に送信する送信手段と、
送信された前記操作信号に対応して取得された映像信号から変換された情報信号を前記ベース装置から受信する受信手段と、
前記受信された前記情報信号を前記表示手段に映像を表示するための映像信号に変換する変換手段と
を有することを特徴とする表示装置。
【請求項２】
請求項１に記載の表示装置であって、
前記表示手段は、タッチパネルを有し、
前記選択信号生成手段は、前記表示手段に前記操作用表示情報が表示されている場合において、前記操作用表示情報が表示されている領域以外の領域の前記タッチパネルに対して指示入力がされた場合には、表示されている前記操作用表示情報以外の操作用表示情報の表示を指示する前記選択信号を生成することを特徴とする表示装置。
【請求項３】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置の双方向通信方法であって、
指示入力に応じて表示すべき操作用表示情報を選択するための選択信号を生成する選択信号生成ステップと、
操作入力に応じて前記ベース装置を制御する操作情報を含む第１の操作用表示情報と、操作入力に応じて前記外部入力機器を制御する操作情報を含む第２の操作用表示情報とを記憶する記憶手段から、前記選択信号生成ステップにおいて生成した前記選択信号に応じて、前記第１又は前記第２の操作用表示情報を読み出す操作用表示情報読出ステップと、
前記操作用表示情報読出ステップにおいて読み出した前記操作用表示情報を表示手段に表示する表示ステップと、
前記表示手段に表示されている前記操作用表示情報に対して操作入力がされた場合に、前記操作用表示情報に対する前記操作入力に応じた操作信号を生成する操作入力受付ステップと、
前記操作入力受付ステップにおいて生成した前記操作信号を前記ベース装置に送信する送信ステップと、
送信された前記操作信号に対応して取得された映像信号から変換された情報信号を前記ベース装置から受信する受信ステップと、
前記受信した前記情報信号を前記表示手段に映像を表示するための映像信号に変換する変換ステップと
を有することを特徴とする双方向通信方法。
【請求項４】
請求項３に記載の表示装置の双方向通信方法であって、
前記表示手段は、タッチパネルを有し、
前記選択信号生成ステップにおいては、前記表示手段に前記操作用表示情報が表示されている場合において、前記操作用表示情報が表示されている領域以外の領域の前記タッチパネルに対して指示入力がされた場合には、表示されている前記操作用表示情報以外の操作用表示情報の表示を指示する前記選択信号を生成することを特徴とする双方向通信方法。
【請求項５】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置に搭載されたコンピュータに、
指示入力に応じて表示すべき操作用表示情報を選択するための選択信号を生成する選択信号生成ステップと、
操作入力に応じて前記ベース装置を制御する操作情報を含む第１の操作用表示情報と、操作入力に応じて前記外部入力機器を制御する操作情報を含む第２の操作用表示情報とを記憶する記憶手段から、前記選択信号生成ステップにおいて生成した前記選択信号に応じて、前記第１又は前記第２の操作用表示情報を読み出す操作用表示情報読出ステップと、
前記操作用表示情報読出ステップにおいて読み出した前記操作用表示情報を表示手段に表示する表示ステップと、
前記表示手段に表示されている前記操作用表示情報に対して操作入力がされた場合に、前記操作用表示情報に対する前記操作入力に応じた操作信号を生成する操作入力受付ステップと、
前記操作入力受付ステップにおいて生成した前記操作信号を前記ベース装置に送信する送信ステップと、
送信された前記操作信号に対応して取得された映像信号から変換された情報信号を前記ベース装置から受信する受信ステップと、
前記受信した前記情報信号を前記表示手段に映像を表示するための映像信号に変換する変換ステップと
を実行させることを特徴とする双方向通信用プログラム。
【請求項６】
請求項５に記載の表示装置の双方向通信用プログラムであって、
前記表示手段は、タッチパネルを有するものであり、
前記選択信号生成ステップにおいては、前記表示手段に前記操作用表示情報が表示されている場合において、前記操作用表示情報が表示されている領域以外の領域の前記タッチパネルに対して指示入力がされた場合には、表示されている前記操作用表示情報以外の操作用表示情報の表示を指示する前記選択信号を生成することを特徴とする双方向通信用プログラム。
【請求項７】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置に搭載されたコンピュータが実行するコンピュータ用プログラムが記録された記録媒体であって、
指示入力に応じて表示すべき操作用表示情報を選択するための選択信号を生成する選択信号生成ステップと、
操作入力に応じて前記ベース装置を制御する操作情報を含む第１の操作用表示情報と、操作入力に応じて前記外部入力機器を制御する操作情報を含む第２の操作用表示情報とを記憶する記憶手段から、前記選択信号生成ステップにおいて生成した前記選択信号に応じて、前記第１又は前記第２の操作用表示情報を読み出す操作用表示情報読出ステップと、
前記操作用表示情報読出ステップにおいて読み出した前記操作用表示情報を表示手段に表示する表示ステップと、
前記表示手段に表示されている前記操作用表示情報に対して操作入力がされた場合に、前記操作用表示情報に対する前記操作入力に応じた操作信号を生成する操作入力受付ステップと、
前記操作入力受付ステップにおいて生成した前記操作信号を前記ベース装置に送信する送信ステップと、
送信された前記操作信号に対応して取得された映像信号から変換された情報信号を前記ベース装置から受信する受信ステップと、
前記受信した前記情報信号を前記表示手段に映像を表示するための映像信号に変換する変換ステップと
を有することを特徴とするコンピュータ用プログラムが記録された記録媒体。
【請求項８】
請求項７に記載のコンピュータ用プログラムが記録された記録媒体であって、
前記表示手段は、タッチパネルを有するものであり、
前記選択信号生成ステップにおいては、前記表示手段に前記操作用表示情報が表示されている場合において、前記操作用表示情報が表示されている領域以外の領域の前記タッチパネルに対して指示入力がされた場合には、表示されている前記操作用表示情報以外の操作用表示情報の表示を指示する前記選択信号を生成することを特徴とするコンピュータ用プログラムが記録された記録媒体。
【発明の詳細な説明】
【技術分野】
【０００１】
この発明は、所定の電子機器との間で双方向に通信を行う例えばテレビ受像機等の表示装置、この表示装置で用いられる方法、プログラム、プログラムが記録された記録媒体に関する。
【背景技術】
【０００２】
例えば、テレビ受像機において、画質の調整やタイマの設定などは、テレビ受像機のリモートコマンダ（以下、リモコンと略称する。）を操作することによって、テレビ受像機の表示画面に実行可能な処理を選択するためのメニューを表示する。そして、使用者は、テレビ受像機のリモコンを用いて、目的とする処理を選択し、表示画面に表示されるガイダンス表示などにしたがって、リモコンを操作することにより、画質の調整やタイマの設定などの目的とする処理を行うことができるようにされている。
【０００３】
また、ＳＴＢ（Ｓｅｔ−Ｔｏｐ  ｂｏｘ）やＩＲＤ（Ｉｎｔｅｇｉｒｅｔｉｄｅ  Ｒｅｃｉｖｅｒ  Ｄｅｃｏｄｅｒ）などと呼ばれる衛星放送信号を受信する受信機などにおいては、ＥＰＧなどと呼ばれる電子番組ガイドなどのデータ表示を、モニタ受像機の表示画面に表示するようにすることが行われている。この場合には、使用者は、受信機のリモコンを用い、モニタ受像機の表示画面に表示されている電子番組ガイドに基づいて、視聴しようとする番組を選択することにより、受信機の選局チャンネルを変えることができるようにされている。
【０００４】
このように、テレビ受像機やテレビ放送信号を受信する受信機においては、メニューやガイダンス、あるいは、電子番組ガイドなどの情報表示と、リモコン操作とを組み合わせることによって、目的とする処理をわかりやすく比較的に簡単に実行させることができるように工夫されている。
【発明の開示】
【発明が解決しようとする課題】
【０００５】
ところが、前述のように、テレビ受像機やＳＴＢやＩＲＤに対して目的とする処理を行わせるために、メニューやガイダンスなどの必要な情報をテレビ受像機などの表示画面に表示し、この表示情報を見ながらリモコンを操作する方式では、リモコンに対する操作が繁雑になる場合がある。
【０００６】
例えば、複数のメニューの中から目的とする処理を選択項目として含むメニューを表示させるために、メニューのページ送りを複数回行わなければならなかったり、表示画面上のカーソルを移動させるためにリモコンに対して頻繁に操作を行わなければならなかったり、また、リモコンを通じて決定操作を行わなければならないなどの場合がある。
【０００７】
また、テレビ受像機などのモニタ装置も、ＬＣＤ（Ｌｉｑｕｉｄ  Ｃｒｙｓｔａｌ  Ｄｉｓｐｌａｙ）などを用いることによって、小型化、軽量化が進み、持ち運びが可能で、使用者の手が届く位置で使用されるものも増えてくると考えられる。このような場合には、テレビ受像機のリモコンは不用であるし、また、テレビ受像機に映像信号や音声信号を供給する受信機などの外部入力装置のリモコンの存在が煩わしくなってしまう。
【０００８】
以上のことにかんがみ、この発明は、上記問題点を一掃し、煩わしい操作を行うことなく遠隔操作を行うことを可能にし、より使い勝手のよいホームネットワークを構築できるようにすることを目的とする。
【課題を解決するための手段】
【０００９】
上記課題を解決するため、請求項１に記載の発明の表示装置は、
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置であって、
指示入力に応じて表示すべき操作用表示情報を選択するための選択信号を生成する選択信号生成手段と、
操作入力に応じて前記ベース装置を制御する操作情報を含む第１の操作用表示情報と、操作入力に応じて前記外部入力機器を制御する操作情報を含む第２の操作用表示情報とを記憶する記憶手段と、
前記記憶手段から、前記選択信号生成手段により生成された前記選択信号に応じて、前記第１又は前記第２の操作用表示情報を読み出す操作用表示情報読出手段と、
前記操作用表示情報読出手段によって読み出された前記操作用表示情報を表示する表示手段と、
前記表示手段に表示されている前記操作用表示情報に対して操作入力がされた場合に、前記操作用表示情報に対する前記操作入力に応じた操作信号を生成する操作入力受付手段と、
前記操作入力受付手段において生成された前記操作信号を前記ベース装置に送信する送信手段と、
送信された前記操作信号に対応して取得された映像信号から変換された情報信号を前記ベース装置から受信する受信手段と、
前記受信された前記情報信号を前記表示手段に映像を表示するための映像信号に変換する変換手段と
を有することを特徴とする。
【００１０】
この請求項１に記載の発明の表示装置によれば、記憶手段には、少なくとも、操作入力に応じて前記ベース装置を制御する操作情報を含む第１の操作用表示情報と、操作入力に応じて前記外部入力機器を制御する操作情報を含む第２の操作用表示情報とが記憶されている。選択信号生成手段によって、ユーザーからの指示入力に応じて生成された選択信号に応じて、操作用表示情報読出手段により選択するようにされた操作用表示情報が読み出され、これが表示手段に表示するようにされる。
【００１１】
そして、操作入力受付手段により、操作用表示情報に対する操作入力に応じた操作信号が生成され、これが送信手段によりベース装置に送信される。そして、ベース装置からは、操作信号に対応して取得された映像信号から変換された情報信号が送信されてくるので、これが受信手段によって受信され、変換手段により映像を表示するための映像信号に変換されて、これに応じた映像が表示手段に表示することができるようにされる。
【００１２】
これにより、指示入力に応じて、目的とする操作用表示情報を表示手段に表示し、これに対する操作入力を受け付けて、これに応じてベース装置を制御し、目的とする情報信号の提供を受けて、目的とする映像を表示し、利用することができるようにされる。すなわち、煩わしい操作を行うことなく遠隔操作を行うことを可能にし、より使い勝手のよいホームネットワークを構築することができるようにされる。
【００１３】
また、請求項２に記載の発明の表示装置は、請求項１に記載の表示装置であって、
前記表示手段は、タッチパネルを有し、
前記選択信号生成手段は、前記表示手段に前記操作用表示情報が表示されている場合において、前記操作用表示情報が表示されている領域以外の領域の前記タッチパネルに対して指示入力がされた場合には、表示されている前記操作用表示情報以外の操作用表示情報の表示を指示する前記選択信号を生成することを特徴とする。
【００１４】
この請求項２に記載の発明の表示装置によれば、選択信号生成手段は、ユーザーからの指示入力に応じた選択信号を生成するが、表示手段に何らかの操作用表示情報が表示されている場合に、タッチパネルを通じて当該操作用表示情報の表示領域以外の領域に対する指示入力を受け付けた場合には、表示されている操作用表示情報以外の操作用表示情報の表示を指示する選択信号が生成される。
【００１５】
これにより、利用可能な操作用表示情報を切り換えて（任意に選択して）、目的とする操作入力を表示装置に対して入力し、ベース装置を遠隔操作することができるようにされる。すなわち、煩わしい操作を行うことなく遠隔操作を行うことを可能にし、より使い勝手のよいホームネットワークを構築することができるようにされる。
【発明の効果】
【００１６】
この発明によれば、表示装置の表示素子に表示される操作用表示情報とタッチパネルなどの接触位置検出手段を通じて、ベース装置やベース装置に接続される外部入力装置を遠隔操作することができる。したがって、従来のようなリモコン（遠隔操作装置）が不要になる。
【００１７】
また、表示装置の表示素子に表示される操作用表示情報とタッチパネルなどの接触位置検出手段を通じて、使用者からの操作入力を受け付けることができるので、従来のようにリモコン（遠隔操作装置）を用いて遠隔操作を行う場合のように、カーソルを移動させるために入力操作を複数回繰り返したり、決定キーを必ず操作したりするなどというように、操作が繁雑になることがなく、操作の煩わしさを軽減することができる。
【発明を実施するための最良の形態】
【００１８】
以下、図を参照しながらこの発明による装置、方法、プログラム、プログラム記録媒体の一実施の形態について説明する。  
［双方向通信システムの概要］  
図１は、この実施の形態の双方向通信システムを説明するための図である。図１に示すように、この実施の形態の双方向通信システムは、表示装置１００、ベース装置（ベースステーション）２００、外部入力装置としてのＳＴＢ３００とからなっている。
【００１９】
表示装置１００は、この発明による表示装置、方法、プログラム、プログラム記録媒体が適用されたものであり、表示素子としてＬＣＤ１０７を備えたものである。この表示装置１００は、無線通信によりベース装置２００と接続され、ベース装置２００からの情報信号を受信することができるとともに、ベース装置２００に対して制御信号を送信することができるものである。
【００２０】
この実施の形態のベース装置２００は、後述もするように、地上波のアナログテレビ放送信号を受信するアンテナ２０１に接続され、アナログテレビ放送信号を選局するチューナを備えるとともに、電話網やインターネットなどの通信ネットワークに接続するための変調復調器であるいわゆるモデムを備え、電話線Ｌを通じて電話網に接続することができるものである。図１において、端子ＭＪは、外部から引き込まれた電話線Ｌとの接続端子（モジュラージャック）である。
【００２１】
また、ベース装置２００は、後述もするように、外部入力端子を備え、例えば、ＶＴＲ、ＳＴＢ、ＩＲＤ、ＤＶＤ（Ｄｉｇｉｔａｌ  Ｖｉｄｅｏ  Ｄｉｓｋ）装置などの各種の外部入力装置を接続することができるようにされている。この実施の形態においては、図１に示すように、ベース装置２００には、外部入力装置としてＳＴＢ３００が接続されている。
【００２２】
そして、ベース装置２００は、自己のチューナにより選局し、復調することにより得たテレビ放送番組の映像信号や音声信号、あるいは、自己のモデムを通じて通信ネットワークから得た映像データや音声データ、あるいは、ＳＴＢ３００からの衛星放送番組の映像信号や音声信号などの情報信号をデータ圧縮して、送信信号を形成し、これを表示装置１００に送信することができるものである。
【００２３】
表示装置１００は、ベース装置２００からの送信信号を受信して復調し、復調した送信信号から映像信号を抽出して、この映像信号に応じた映像をＬＣＤ１０７に表示するとともに、復調した送信信号から音声信号を抽出して、この音声信号に応じた音声をスピーカから放音する。
【００２４】
また、表示装置１００は、図１にも示すように、例えば、ＳＴＢ３００を制御するための操作入力を受け付けるためのコントロールパネル（操作用表示情報）ＣＰをＬＣＤ１０７に表示することができるようにされている。
【００２５】
コントロールパネルは、表示装置１００の制御部によって実行されるソフトウエアによって表示するようにされるいわゆるソフトウエアキーである。そして、ＬＣＤ１０７には、後述もするように、タッチパネル１２１が貼付されており、コントロールパネルＣＰの表示と、タッチパネル１２１とにより、使用者からの操作入力を受け付けることができるものである。
【００２６】
なお、この実施の形態においては、図１に示すように、コントロールパネルＣＰは、ＳＴＢ３００用のものであり、電源のオン／オフキー、チャンネル選局のための数字キー、チャンネルのアップ／ダウンキー、音量のアップ／ダウンキーなどを備えたものである。
【００２７】
そして、表示装置１００のタッチパネル１２１は、使用者の指などが接触したＬＣＤ１０７に貼付されたタッチパネル１２１上の接触位置（座標位置）を検出し、その接触位置に表示されているコントロールパネルＣＰを構成する操作キー（操作項目）を判別して、その操作キーに応じた操作信号を形成し、これをベース装置２００に無線送信することができるものである。
【００２８】
ベース装置２００には、リモコンマウスなどと呼ばれる赤外線のリモコン信号を送出するリモコン信号送出部２５０が、リモコン信号送信部２５０との接続端子を通じて接続されており、表示装置１００からの操作信号に応じたリモコン信号を形成し、これをリモコン信号送出部２５０からＳＴＢ３００に送信する。
【００２９】
ＳＴＢ３００は、もともと自機のリモコンからの赤外線リモコン信号を受光するためのフォトディテクタなどからなるリモコン信号受光部３３２を備えており、ベース装置２００に接続されたリモコン信号送信部２５０からのリモコン信号を受光して、そのリモコン信号に応じた制御、例えば、電源のオン／オフや、選局チャンネルの変更を行うように遠隔操作することができるようにされる。
【００３０】
したがって、使用者は、表示装置１００のＬＣＤ１０７に表示されるコントロールパネルＣＰとタッチパネル１２１とを通じて、いわゆるワンタッチでＳＴＢ３００に対する操作入力を行い、ベース装置２００を通じてＳＴＢ３００を遠隔操作することができるようにしている。
【００３１】
このように、表示装置１００とベース装置２００との間においては、双方向に無線通信が可能であり、また、ベース装置２００と外部入力装置してのＳＴＢ３００との間においても双方向に通信が可能なようにされている。
【００３２】
そして、表示装置１００は、小型化、軽量化がされ、また、ベース装置２００とは、無線通信により接続するようにされているので、持ち運びに適している。このため、使用者は、ベース装置２００と通信が可能な範囲内であれば、表示装置１００を持ち運び、何処ででも表示装置１００を用いて、ベース装置２００から提供される情報信号を再生して出力し、使用者に提供することができることができる。
【００３３】
したがって、前述したように、表示装置１００を用いることにより、ベース装置２００のチューナにより選局されるテレビ放送番組を視聴したり、ＳＴＢ３００により選局された衛星放送信号により提供される衛星放送番組を視聴したり、さらに、ベース装置２００に、ＶＴＲやＤＶＤ装置が外部入力機器として接続されている場合には、これらＶＴＲやＤＶＤ装置により再生するようにされる映画などを視聴することができるようにされる。
【００３４】
また、表示装置１００を用いることにより、ベース装置２００のモデムを通じて、例えば、インターネット上に提供されているいわゆるホームページの情報を取得し、そのホームページの情報を視聴するようにしたり、自己宛ての電子メールを受信して、その電子メールをＬＣＤ１０７に表示して見たり、さらに、目的とする相手先に電子メールを作成して送信したりすることができる。
【００３５】
なお、電子メールを作成する場合には、表示装置１００に対して所定の操作を行うことにより、例えば、アルファベットキーや５０音キーなどからなるソフトウエアキーボードをＬＣＤ１０７に表示し、このソフトウエアキーボードとタッチパネル１２１と通じて、電子メールを作成することができる。そして、送信キーを操作するなどの所定の操作を行うことにより、作成した電子メールをベース装置２００に送信し、ベース装置２００を通じて相手先に送信することができる。
【００３６】
このように、ベース装置２００は、ＳＴＢ３００などの外部入力装置、地上波テレビ放送、インターネットなどの通信ネットワークなどの各種の情報伝送媒体と表示装置１００とを結びつけるベースとなる装置である。そして表示装置１００は、ベース装置２００から情報信号の供給を受けて、これを再生して出力し、使用者に提供することができるとともに、電子メールなどのの送信情報を形成し、これをベース装置２００を通じて送信することができるものである。
【００３７】
［表示装置１００について］  
次に、この実施の形態の双方向通信システムを構成する各装置について詳細に説明する。まず、表示装置１００について説明する。図２は、この実施の形態の表示装置１００について説明するための図である。図２に示すように、表示装置１００は、送受信アンテナ１０１、アンテナ共用器１０２、受信処理部１０３、デコード部１０４、ＯＳＤ（Ｏｎ  Ｓｃｒｅｅｎ  Ｄｉｓｐｌａｙ）処理部１０５、映像信号処理部１０６、ＬＣＤ１０７、音声信号増幅部１０８、スピーカ１０９、送信信号形成部１１１、送信処理部１１２、タッチパネル１２１、座標検出部１２２を備えている。
【００３８】
この実施の形態の表示装置１００の各部は、制御部１３０によって制御するようにされている。制御部１３０は、図２に示すように、ＣＰＵ（Ｃｅｎｔｒａｌ  Ｐｒｏｃｅｓｓｉｎｇ  Ｕｎｉｔ）１３１、ＲＯＭ（Ｒｅａｄ  Ｏｎｌｙ  Ｍｅｍｏｒｙ）１３２、ＲＡＭ（Ｒａｎｄｏｍ  Ａｃｃｅｓｓ  Ｍｅｍｏｒｙ）１３３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１３４がＣＰＵバス１３５を通じて接続されて構成されたマイクロコンピュータである。
【００３９】
ＲＯＭ１３２は、この実施の形態の表示装置１００において実行する各種の処理プログラムや処理に必要なデータなどが記録されたものである。ＲＡＭ１３３は、各種の処理において得られたデータを一時的に記憶保持するなどのように、主に各種の処理の作業領域として用いられるものである。
【００４０】
ＥＥＰＲＯＭ１３４は、いわゆる不揮発性のメモリであり、電源が落とされても、記憶保持した情報が失われることがなく、例えば、各種の設定パラメータや、詳しくは後述するように、ベース装置２００を通じて、取得するようにしたインターネット上のホームページや、ベース装置２００を通じて送信する作成した電子メールや受信した電子メールなどを記憶保持することができるものである。
【００４１】
まず、ベース装置２００からの無線信号を受信する場合の表示装置１００の動作について説明する。この実施の形態において、表示装置１００とベース装置２００との間においては、例えば、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）８０２．１１方式のプロトコル、あるいは、その発展プロトコルなどの所定のプロトコルが用いられて無線通信が行なわれる。
【００４２】
ベース装置２００から所定の通信プロトコルに準拠した無線信号は、表示装置１００の送受信アンテナ１０１により受信され、アンテナ共用器（以下、単に共用器という。）１０２を通じて受信処理部１０３に供給される。共用器１０２は、送信信号と受信信号とが干渉し合うことを防止するためのものである。
【００４３】
つまり、この表示装置１００は、ベース装置２００からの信号を送受信アンテナ１０１を通じて受信することができるとともに、後述するように、自機からの操作信号などを送受信アンテナ１０１を通じて無線送信することができるものである。このため、共用器１０２は、送信処理部１１２からの送信信号が、後述する送受信アンテナ１０２を通じて受信される受信信号に対して干渉することがないようにしている。
【００４４】
受信処理部１０３は、これに供給された信号を復調するなどの処理を行って、復調後の信号をデコード部（伸長処理部）１０４に供給する。前述もしたように、ベース装置２００は、自己のチューナにより選局した地上波のテレビ放送番組の映像信号や音声信号、自己のモデムを通じて受信したテキストデータや映像データなどの表示用データや音声データ、あるいは、ＳＴＢ３００からの衛星放送番組の映像信号や音声信号などの情報信号をデータ圧縮して送信してくる。
【００４５】
このため、表示装置１００のデコード部１０４は、受信処理部１０３からの復調されたデータ圧縮されている信号の供給を受けて、映像信号と音声信号とを分離し、分離した信号を伸長（圧縮解凍）することにより、データ圧縮前の元の信号を復元する。
【００４６】
そして、デコード部１０４は、復元した映像信号と音声信号とをＤ／Ａ変換（デジタル／アナログ変換）し、アナログ映像信号と、アナログ音声信号とを形成する。そして、デコード部１０４は、アナログ映像信号を、ＯＳＤ処理部１０５に供給し、アナログ音声信号を、音声信号増幅部１０８に供給する。
【００４７】
ＯＳＤ処理部１０５は、制御部１３０から供給されるデータに応じて、図１を用いて前述したコントロールパネルＣＰや各種のメッセージを表示するようにするための映像信号処理を行うものであり、放送番組の映像のほかの文字、絵、記号などの表示情報を表示するようにするためのいわゆるテキスト／グラフィック処理回路である。
【００４８】
例えば、使用者からの指示に応じて、コントロールパネルを表示する場合には、これを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４９】
また、使用者からの指示に応じて、選択するようにされているチャンネルを示す文字情報や音量レベルを示す音量バーなどを表示する場合には、これらを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００５０】
また、コントロールパネルＣＰなどの表示情報を合成する必要がない場合には、ＯＳＤ処理部１０５には、表示情報は供給されないので、デコード部１０４からのアナログ映像信号が、そのまま映像信号処理回路１０７に供給される。映像信号処理部１０６は、ＯＳＤ処理部１０５を通じて供給される映像信号から、表示用信号を形成し、これをＬＣＤ１０７に供給する。
【００５１】
これにより、ＬＣＤ１０７の表示画面には、ベース装置２００から無線送信されてきた映像信号に応じた映像が表示される。この場合、ＯＳＤ処理部１０５において、コントロールパネルなどの表示情報が合成されている場合には、コントロールパネルなどの表示情報が、デコード部１０４からの映像信号による映像とともに表示されることになる。
【００５２】
一方、音声信号増幅部１０８は、これに供給された音声信号を所定のレベルにまで増幅し、これをスピーカ１０９に供給する。これにより、スピーカ１０９からは、ベース装置２００から無線送信されてきた音声信号に応じた音声が放音される。
【００５３】
このように、表示装置１００は、選局装置２００から無線送信されてくるテレビ放送番組などの映像信号や音声信号を受信して、その受信した映像信号や音声信号を再生して出力することにより、使用者に提供することができるものである。
【００５４】
次に、この実施の形態において、表示装置１００のＬＣＤ１０７にコントロールパネルを表示して使用者からの操作入力を受け付け、この操作入力に応じた操作信号をベース装置２００に送信する場合の表示装置１００の動作について説明する。ここでは、図１に示したように、ＳＴＢ３００を制御するようにするためのコントロールパネルＣＰを表示し、ＳＴＢ３００に対する操作入力を受け付ける場合を例にして説明する。
【００５５】
この実施の形態の表示装置１００のＬＣＤ１０７には、タッチパネル１２１が貼付されている。そして、表示装置１００に電源が投入されている状態にあり、コントロールパネルが表示されていない状態にあるときに、使用者が、タッチパネル１２１に指などを接触させると、座標検出部１２２がタッチパネル１２１上の指などが接触された接触位置（座標位置）を検出し、これを制御部１３０に通知する。
【００５６】
制御部１３０は、コントロールパネルを表示していない状態にあるときに、座標検出部１２２からの接触位置の通知を受けた場合には、これをコントロールパネルの表示指示であると判断する。そして、この実施の形態においては、制御部１３０は、まず、ＳＴＢ３００用のコントロールパネルＣＰを表示するため、ＲＯＭ１３２から必要な情報を読み出し、コントロールパネルＣＰを表示するための情報を形成して、これをＯＳＤ処理部１０５に供給する。
【００５７】
ＯＳＤ処理部１０５は、制御部１３０からの情報の供給を受けて、コントロールパネルＣＰを表示するための映像信号を形成し、これをデコード部１０４からのアナログ映像信号に合成するようにして、図１に示したように、コントロールパネルＣＰをＬＣＤ１０７の表示画面に表示する。
【００５８】
そして、この実施の形態において、コントロールパネルの表示が、デコード部１０４からの映像信号によるＬＣＤ１０７に表示されている映像を隠すことがないように、制御部１３０は、いわゆるアルファブレンディング技術を用い、コントロールパネルの色の指定に加え、透明度を表すアルファ値（α値）をもコントロールパネルＣＰを表示するための情報に含めて、ＯＳＤ処理部１０５に供給する。
【００５９】
これにより、デコード部１０４からの映像信号によりＬＣＤ１０７に表示される映像を隠すことなく、コントロールパネルＣＰをＬＣＤ１０７に表示することができるようにしている。すなわち、図１に示したように、デコード部１０４からの映像信号による山の映像を隠すことなく、コントロールパネルＣＰが表示するようにしている。そして、ＬＣＤ１０７の表示画面に表示されたコントロールパネルＣＰとタッチパネル１２１とを通じて、使用者からの操作入力を受け付けることができるようにされる。
【００６０】
そして、使用者が、ＬＣＤ１０７の表示画面に表示されたコントロールパネルＣＰの目的とする操作キーが表示されているタッチパネル１２１上の位置に、指などを接触させると、その接触位置が座標検出部１２２により検出され、これが制御部１３０に通知される。制御部１３０は、座標検出部１２２からのタッチパネル１２１上の接触位置に表示されているコントロールパネルＣＰの操作キーを判別し、その操作キーに応じた操作信号を形成して送信信号形成部１１１に供給する。
【００６１】
送信信号形成部１１１は、制御部１３０からの操作信号からベース装置２００に送信する送信信号を形成し、これを送信処理部１１２に供給する。送信処理部１１２は、これに供給された送信信号を変調したり増幅するなどの処理を行って、実際に送信する形式の送信信号を形成し、これを共用器１０２、送受信アンテナ１０１を通じてベース装置２００に対して無線送信する。
【００６２】
このようにして、表示装置１００から無線送信される操作信号は、ベース装置２００により受信される。そして、この例の場合には、ベース装置２００において、表示装置２００からの操作信号に応じたＳＴＢ３００用のリモコン信号が形成され、これがＳＴＢ３００に送信され、ＳＴＢ３００を遠隔操作することができるようにされる。
【００６３】
また、この実施の形態の表示装置１００には、インターフェース（図２においてはＩ／Ｆと記載。）１４０を通じて、キー入力部１４１が接続されている。キー操作部１４１は、例えば、電源のオン／オフスイッチなど備えたものであり、このキー操作部１４１を通じて受け付けた操作入力は、Ｉ／Ｆ１４０を通じて制御部１３０に供給され、電源の投入など操作キーに応じた処理を行うことができるようにされる。
【００６４】
なお、ここでは、ＳＴＢ３００用のコントロールパネルＣＰを通じて、ＳＴＢ３００に対する操作信号を送信する場合を例にして説明した。しかし、ベース装置２００に対してもＳＴＢ３００の場合と同様にして、表示装置１００を用いて、遠隔操作することができる。
【００６５】
すなわち、表示装置１００を通じ、ベース装置２００を遠隔操作する場合には、ベース装置２００用のコントロールパネルを表示する。この実施の形態においては、電源が投入され、コントロールパネルが表示されていないときに、タッチパネル１２１に指などを接触させると、前述したように、まず、ＳＴＢ３００用のタッチパネルＣＰが表示される。
【００６６】
そして、タッチパネルＣＰの表示領域以外のタッチパネル１２１上に指などを接触させると、制御部１３０は、ベース装置２００用のコントロールパネルの表示指示であると判断し、ベース装置２００用のコントロールパネルを表示し、ベース装置２００に対する操作入力を受け付けて、その操作入力に応じた操作信号をベース装置２００に送信することができるようにしている。
【００６７】
そして、後述もするように、ベース装置２００においては、表示装置１００からの操作信号が、自機に対するものか、自機に接続されたＳＴＢ３００などの外部入力装置に対するものかを判断し、外部入力装置に対するものであるときには、前述したように、外部入力装置に対して送信する。
【００６８】
また、表示装置１００からの操作信号が、自機に対するものであるときには、その操作信号に応じて、自機を制御する。これにより、表示装置１００を通じて、ベース装置２００においての地上波のアナログテレビ放送信号を選局したり、ベース装置のモデムを通じて、情報の送受を行うことができるようにしている。
【００６９】
なお、この実施の形態において、ベース装置２００に対するコントロールパネルは、図１に示したＳＴＢ３００用のコントロールパネルＣＰと同様に、チューナ２０２に対して選局を指示するための数字キー（１〜１２）、チャネルのアップ／ダウンキー、音量のアップ／ダウンキーを備えるとともに、自機のチューナにより選局したテレビ放送信号に応じた信号を出力するのか、自機のモデムを通じて受信した情報に応じた信号を出力するのか、あるいは、自機に接続された外部入力装置からの情報に応じた信号を出力するのかを切り換えるセレクタの切り換えキーなどを有するものである。
【００７０】
そして、ベース装置２００に対するコントロールパネルを用いることによって、ＳＴＢ３００の場合と同様に、表示装置１００を通じて、ベース装置２００の電源のオン／オフ、チャンネルの変更、ベース装置２００から送信する信号の切り換えなどを遠隔操作することができるようにされている。
【００７１】
［ベース装置２００について］  
次に、図１に示したベース装置２００について詳細に説明する。図３は、この実施の形態のベース装置２００を説明するためのブロック図である。図３に示すように、屋外に設置される地上波のアナログテレビ放送信号の受信アンテナ２０１に接続されるチューナ２０２、復調部２０３、映像信号（Ｖｄ）の入力端子２０４、音声信号（Ａｕ）の入力端子２０５、セレクタ２０６、圧縮処理部２０７、送信信号形成部２０８、送信処理部２０９、アンテナ共用器（以下、単に共用器という。）２１０、送受信アンテナ２１１、受信処理部２１２を備えている。
【００７２】
この実施の形態のベース装置２００の各部は、制御部２３０によって制御するようにされている。制御部２３０は、図３に示すように、ＣＰＵ２３１、ＲＯＭ２３２、ＲＡＭ２３３、ＥＥＰＲＯＭ２３４がＣＰＵバス２３５を通じて接続されて構成されたマイクロコンピュータである。
【００７３】
ここで、ＲＯＭ２３２は、この実施の形態の選局装置１において実行する各種の処理プログラムや処理に必要なデータなどが記録されたものである。ＲＡＭ２３３は、各種の処理において得られたデータを一時的に記憶保持するなどのように、主に各種の処理の作業領域として用いられるものである。
【００７４】
ＥＥＰＲＯＭ２３４は、いわゆる不揮発性のメモリであり、電源が落とされても、記憶保持した情報が失われることがなく、例えば、ベース装置２００の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００７５】
また、制御部２３０には、モデム部２２０が接続されている。モデム部２２０は、インターフェース（以下、Ｉ／Ｆと略称する。）部２２１と、通信部２２２とからなっている。Ｉ／Ｆ部２２１は、通信回線、この実施の形態においては電話回線と、このベース装置２００との間のインターフェースであり、電話回線を通じて送信されてくる信号を受信したり、ベース装置２００からの信号を電話回線に送信したりする。
【００７６】
通信部２２２は、Ｉ／Ｆ部２２１を通じて受信した信号を復調して、これを制御部２３０に供給したり、制御部２３０からの送信信号を変調して、これをＩ／Ｆ部２２１に供給する。これにより、電話回線が接続された相手先との間で、各種のデータの送信、受信を行うことができるようにされる。
【００７７】
そして、この実施の形態のベース装置２００は、モデム部２２０、電話線Ｌ、および、所定のＩＳＰ（Ｉｎｔｅｒｎｅｔ  Ｓｅｒｖｉｃｅ  Ｐｒｏｖｉｄｅｒ）を通じてインターネットに接続し、インターネットを通じて各種の情報の提供を受けたり、電子メールを送信したり受信したりすることができるようにされている。
【００７８】
このため、制御部２３０は、モデム部２２０を制御して、オフフックしたりオンフックするなどのことができるとともに、オフフックするようにモデム部２２０を制御したときには、ダイヤル信号を電話回線に送出するようにするいわゆるダイヤラとしての機能などをも備えたものである。
【００７９】
また、制御部２３０には、リモコン信号形成部２４１、リモコン信号の出力端子２４２を通じて、リモコン信号送出部２５０が接続され、前述もしたように、表示装置１００からの操作信号に応じたリモコン信号を形成して、送出することができるようにされている。
【００８０】
なお、図しないが、制御部２３０には、電源のオン／オフキーや各種の設定キーが設けられたキー入力部が接続されており、ベース装置２００の主電源のオン／オフや、各種の設定入力が、キー入力部を通じて行うことができるようにされている。
【００８１】
そして、この実施の形態において、ベース装置２００のチューナ２０２には、図３に示すように、受信アンテナ２０１により受信されたテレビ放送信号が供給される。チューナ２０２は、受信アンテナ２０１からのテレビ放送信号の中から、制御部２３０からの選局指示信号に応じたテレビ放送信号を選局し、この選局したテレビ放送信号を復調部２０３に供給する。復調部２０３は、これに供給されたテレビ放送信号を復調して、復調後の信号（テレビ番組の信号）をセレクタ２０６供給する。
【００８２】
このセレクタ２０６には、映像信号の外部入力端子２０４を通じて入力された映像信号、音声信号の外部入力端子２０５を通じて入力される音声信号の他、制御部２３０からの情報も供給するようにされている。制御部２３０からセレクタ２０６に供給される情報としては、モデム部２２０を通じて、取り込んだ、例えば、インターネット上に公開されているいわゆるホームページの情報や、電子メールなどの情報である。
【００８３】
そして、セレクタ２０６は、制御部２３０からの切り換え制御信号に応じて、復調部２０３からの信号を出力するか、外部入力端子２０４、２０５からの信号を出力するか、制御部２３０からの信号を出力するかを切り換える。制御部２３０からセレクタ２０６に供給される切り換え制御信号は、前述したように、表示装置１００から無線送信されてくる操作信号に応じて、制御部２３０において形成されるものである。
【００８４】
そして、セレクタ２０６からの出力信号は、圧縮処理部２０７に供給される。圧縮処理部２０７は、これに供給された信号を所定の圧縮方式を用いてデータ圧縮する。この圧縮処理部２０６においては、例えば、ＭＰＥＧ方式やＷａｖｅｌｅｔ方式などのデータ圧縮方式を用いて、セレクタ２０６からの信号をデータ圧縮する。
【００８５】
圧縮処理部２０７においてデータ圧縮された信号は、送信信号形成部２０８に供給される。送信信号形成部２０８は、予め決められた通信プロトコルに準拠した送信信号を形成する。前述もしたように、この実施の形態において、ベース装置２００は、例えば、ＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）８０２．１１方式のプロトコル、あるいは、その発展プロトコルに準拠した送信信号を形成する。
【００８６】
送信信号形成部２０８において形成された送信信号は、送信処理部２０９に供給される。送信処理部２０９は、制御部２３０からの制御信号に応じて、送信信号の変調処理や増幅処理を行う。送信処理部２０９において処理された送信信号は、共用器２１０、送受信アンテナ２１１を通じて無線送信される。共用器２１０は、図２に示した表示装置１００の共用器１０２と同様に、送信信号と受信信号とが干渉し合うことを防止するものである。
【００８７】
このようにして、チューナ２０２により選局されたテレビ放送番組の映像信号や音声信号、あるいは、外部入力端子２０４、２０５通じて受け付けた映像信号や音声信号、あるいは、モデム２２０を通じて取得した情報のテキストデータや映像データ、音声データを、データ圧縮して、所定の通信プロトコルで無線送信することにより、前述したように、表示装置１００に供給することができることができるようにされている。
【００８８】
次に、表示装置１００から無線送信されてくる操作信号を受信した場合のベース装置２００の動作について説明する。送受信アンテナ２１１を通じて受信した表示装置１００からの操作信号は、共用器２１０を通じて受信処理部２１２に供給される。受信処理部２１２は、これに供給された信号を復調し、Ａ／Ｄ（アナログ／デジタル）変換するなどの処理を行って、制御部２３０が扱える信号に変換し、この信号を制御部２３０に供給する。
【００８９】
制御部２３０は、受信処理部２１２からの信号が、外部入力機器、この実施の形態においては、ＳＴＢ３００に対する操作信号であるときには、受信した操作信号をリモコン信号形成部２４１に供給し、受信した操作信号に応じたリモコン信号を形成するように制御する。
【００９０】
リモコン信号形成部２４１は、制御部２３０からの信号に基づいて、この実施の形態においては、外部入力装置であるＳＴＢ３００に供給するリモコン信号を形成し、これのリモコン信号の出力端子２４２を通じて、これに接続されたリモコン信号送信部２５０に供給する。
【００９１】
リモコン信号送信部２５０は、リモコン信号形成部２４１からのリモコン信号を赤外線のリモコン信号として送信する。このようにして、表示装置１００からのＳＴＢ３００に対する操作信号を赤外線のリモコン信号として送出し、ＳＴＢ３００を遠隔操作することができるようにしている。
【００９２】
また、制御部２３０は、受信処理部２１２からの信号が、自機、すなわち、ベース装置２００に対する操作信号であるときには、受信した操作信号に応じて、各部を制御する。これにより、チューナ２０１による選局を変更したり、セレクタ２０６から出力する信号を切り換えたりすることができるようにされる。
【００９３】
また、制御部２３０は、受信処理部２１２からの信号が、目的とするホームページの取得要求や、電子メールの受信要求、あるいは、電子メールの送信要求などであるときには、モデム部２２０を制御し、加入しているＩＳＰとの間に電話回線を接続することによって、インターネットに接続する。
【００９４】
そして、目的とするホームページを取得するようにしたり、自己宛ての電子メールを受信したり、目的とする相手先に電子メールを送信したりすることができるようにされる。
【００９５】
このように、この実施の形態のベース装置２００は、テレビ放送信号を受信、選局して復調し、この復調したテレビ放送番組の映像信号や音声信号、あるいは、外部入力端子２０４、２０５を通じて供給された外部入力装置からの映像信号、音声信号、あるいは、モデム部２２０および電話回線を通じて供給を受ける映像データや音声データを受信して復調し、この復調した映像データや音声データをデータ圧縮して、所定の通信プロトコルにしたがって無線送信することができるものである。
【００９６】
さらに、この実施の形態のベース装置２００は、表示装置１００から無線送信されてくる操作信号を受信し、その操作信号に応じて、自機を制御したり、外部入力装置を制御するためのリモコン信号を形成して送信したり、あるいは、表示装置１００から無線送信されてくる電子メールなどの送信情報を、モデム部２２０を通じて送信することができるものである。
【００９７】
［ＳＴＢ３００について］  
図４は、この実施の形態において、外部入力装置としてベース装置２００に接続されるＳＴＢ３００を説明するためのブロック図である。図４に示すように、この実施の形態のＳＴＢ３００は、衛星放送用受信アンテナ３０１に接続されるデジタルチューナ（以下、単にチューナという。）３０２、デ・スクランブル部３０３、デ・マルチプレクサ３０４、映像信号デコーダと音声信号デコーダとを有するデコード部３０５、ＯＳＤ処理部３０６、映像信号（Ｖｄ）の出力端子３０７、音声信号（Ａｕ）の出力端子３０８とを備えている。
【００９８】
また、図１に示すように、この実施の形態のＳＴＢ３００は、制御部３１０、キーインターフェース（以下、キーＩ／Ｆという。）３２１、キー入力部３２２、リモコンインターフェース（以下、リモコンＩ／Ｆという。）３３２、リモコン信号受光部３３２とを備えている。
【００９９】
制御部３１０は、ＣＰＵ３１１、ＲＯＭ３１２、ＲＡＭ３１３、ＥＥＰＲＯＭ３１４が、ＣＰＵバス３１５を通じて接続されて形成されたマイクロコンピュータであり、この実施の形態のＳＴＢ３００の各部を制御するものである。
【０１００】
ここで、ＲＯＭ３１２は、このＳＴＢ３００において実行する処理プログラムや必要となるデータなどが記録されたものである。また、ＲＡＭ３１３は、実行された処理の途中結果などを一時記憶するなど、主に作業領域として用いられるものである。ＥＥＰＲＯＭ３１４は、使用者によって設定された各種のパラメータ情報などを記憶するメモリであり、ＳＴＢ３００の電源が落とされても記憶した情報が消滅することがないようにされたいわゆる不揮発性のメモリである。
【０１０１】
また、キー入力部３２２は、電源のオン／オフキーや各種の調整キーなどが設けられたものである。キー操作部３２２を通じて使用者からの操作入力を受け付けると、これがキーＩ／Ｆ３２１を通じて制御部３１０に供給され、電源のオン／オフや、各種の調整を行うことができるようにされる。
【０１０２】
また、リモコン信号受光部３３２は、ＳＴＢ３００のリモコンからの赤外線のリモコン信号を受光し、これを電気信号に変換して、リモコンＩ／Ｆ３３１を通じて制御部３１０に供給することができるようにされている。すなわち、このＳＴＢ３００は、リモコンを通じて遠隔操作することができるものである。
【０１０３】
そして、このリモコン信号受光部３３２は、ＳＴＢ専用のリモコンからのリモコン信号だけでなく、前述したベース装置２００のリモコン信号送信部２５０から送信されるＳＴＢ３００宛ての赤外線のリモコン信号をも受光して、これを電気信号に変換することができるものである。これによって、表示装置１００からの操作信号に応じて、ベース装置２００から送信される赤外線のリモコン信号によって、ＳＴＢ３００の遠隔操作を可能にしている。
【０１０４】
そして、キー操作部３２２を通じてＳＴＢ３００に電源が投入されると、この実施の形態のＳＴＢ３００においては、デジタル衛星放送信号の受信、選局処理などを行い、デジタル衛星放送により提供される放送番組の映像信号と音声信号とを出力する。
【０１０５】
なお、この実施の形態において、デジタル放送信号は、ＭＰＥＧ方式のＴＳ（トランスポートストリーム）形式で放送さるものであり、１つの衛星放送信号に、複数の放送番組の映像信号や音声信号、選局処理などに用いられる各種のデータ、ＥＰＧ（電子番組ガイド）を表示するためのデータがパケット化されて、時分割多重化されたものである。
【０１０６】
そして、屋外に設置される衛星放送用受信アンテナ３０１により受信されたＴＳ形式のデジタル衛星放送信号（以下、単に衛星放送信号という。）は、チューナ部３０２に供給される。チューナ部３０２は、制御部３１０からの選局制御信号に基づいて、衛星放送信号を選局して復調し、復調後の衛星放送信号をデ・スクランブル部３に供給する。制御部３１０からチャンネル部３０２に供給される選局制御信号は、リモコン信号受光部３２２を通じて受け付けた表示装置１００の使用者からのリモコン信号に応じて、制御部３１０において形成されるものである。
【０１０７】
デ・スクランブル部３０３は、例えば、制御部３１０から暗号解読のためのキー情報の提供を受けて、受信、選局した衛星放送信号に施されているスクランブル処理（暗号化処理）を解読（解除）し、このスクランブル解読後の衛星放送信号をデ・マルチプレクサ３０４に供給する。
【０１０８】
衛星放送信号は、前述したように、ＴＳ形式の信号であり、複数の放送番組の映像データや音声データ、放送に関する種々のデジタルデータ、また、ＥＰＧを形成するためのデジタルデータなどが、パケット化され、いわゆる時分割多重化されており、１つの衛星放送信号により、複数の放送番組や各種の情報を提供することができるようにされている。そして、各パケットには、ＰＩＤ（パケットＩＤ：パケット識別子）が付加され、ＳＴＢ３００において、衛星放送信号から目的とするパケットを分離抽出することができるようにされている。
【０１０９】
このため、デ・マルチプレクサ３０４においては、制御部３１０からのチャンネル選択制御信号に基づいて、使用者により選択されたチャンネルにより放送するようにされている放送番組の映像データと音声データとを、デ・スクランブル部３０３からの衛星放送信号から抽出し、この抽出した放送番組の映像データと音声データとをデコード部３０５に供給する。
【０１１０】
また、デ・マルチプレクサ３０４は、デ・スクランブル部３０３からの衛星放送信号から放送に関する種々のデータや、ＥＰＧを形成するためのデータを抽出し、これを制御部３１０に供給する。このようにして衛星放送信号から抽出され、制御部３１０に供給されるデータは、使用者からの指示に応じて目的とする放送番組を選択する場合に用いられたり、ＥＰＧを形成する場合に用いられる。
【０１１１】
そして、この実施の形態のＳＴＢ３００において、デ・マルチプレクサ３０４において分離抽出されて出力される放送番組のＥＳ（Ｅｌｅｍｅｎｔａｒｙ  Ｓｔｒｅａｍ）、すなわち、目的とする放送番組の映像データおよび音声データは、ＭＰＥＧ方式の符号化方法によりデータ圧縮されたものである。
【０１１２】
このため、デコード部５の映像信号デコーダは、これに供給された映像データを伸長処理（圧縮解凍処理）して、データ圧縮前の映像信号データを復元し、これをＤ／Ａ変換することによりアナログ映像信号に変換して、このアナログ映像信号をＯＳＤ処理部３０６に供給する。
【０１１３】
ＯＳＤ処理部３０６は、前述した表示装置１００のＯＳＤ１０５と同様に、各種のメッセージを表示したり、このＳＴＢ３００においては、ＥＰＧを表示するための映像信号処理を行うものであり、文字、絵、記号などの表示情報を表示するようにするためのいわゆるテキスト／グラフィック処理回路である。
【０１１４】
したがって、ＯＳＤ処理部３０６においては、メッセージ情報をデコード部３０５からの映像信号に合成したり、ＥＰＧを表示するための映像信号を形成しこれを出力する。なお、メッセージ情報の合成やＥＰＧの表示が指示されていない場合には、デコード部３０５からの映像信号がＯＳＤ処理部３０６を通じて出力端子３０７を通じて出力される。そして、この実施の形態においては、前述したように、ＳＴＢ３００から出力された映像信号は、ベース装置２００の入力端子２０４を通じてベース装置２００に供給される。
【０１１５】
また、デコード部５の音声信号デコーダは、これに供給された音声データを伸長処理して、データ圧縮前の音声信号データを復元し、これをＤ／Ａ変換することによりアナログ音声信号に変換して、これを音声信号の出力端子３０８を通じて出力する。そして、ＳＴＢ３００から出力された音声信号は、映像信号と同様に、ベース装置２００の入力端子２０５を通じてベース装置２００に供給される。
【０１１６】
そして、前述したように、ベース装置２００のリモコン信号送信部２５０から送信される表示装置１００からの操作信号に応じたＳＴＢ３００に対する赤外線のリモコン信号は、リモコン信号受光部３３２により受光される。そして、リモコン信号受光部３３２において、電気信号に変換され、これが制御部３１０に供給される。
【０１１７】
ベース装置２００の送信される表示装置１００からの操作信号に応じたＳＴＢ３００に対する赤外線のリモコン信号は、ＳＴＢ３００に対する電源のオン／オフ指示や、チャンネルの変更指示などである。そして、ＳＴＢ３００においては、ベース装置２００からのリモコン信号に応じた処理が行なわれる。
【０１１８】
すなわち、リモコン信号受光部３３２を通じて、ベース装置２００からのリモコン信号を受光すると、ＳＴＢ３００の制御部３１０は、受光したリモコン信号に応じて、ＳＴＢ３００の電源のオン／オフを行ったり、チューナ３０２を制御して選局する衛星放送信号を変更したり、あるいは、デ・マルチプレクサ３０４を制御して、デ・マルチプレクサ３０４においてデータを抽出する放送番組を変更したりするなどのことができることができるようにされる。
【０１１９】
そして、前述した表示装置１００、ベース装置２００、ＳＴＢ３００とからなるこの実施の形態の双方向通信システムにおいて、ベース装置２００は、前述もしたように、自己のチューナ部２０２を通じて受信したテレビ放送信号の映像信号、音声信号、モデム部２２０を通じて受信した情報、ＳＴＢ３００などの外部入力装置から供給された映像信号、音声信号を無線信号として表示装置１００に送信する。
【０１２０】
このようにしてベース装置２００から無線送信さえる映像信号や音声信号を表示装置１００を通じて受信し、再生して出力し、表示装置１００を通じて、目的とする地上波のアナログテレビ放送信号により提供される放送番組や、デジタル衛星放送により提供されるテレビ放送番組、インターネットなどのネットワークを通じて提供される情報を視聴することができることができるようにされる。
【０１２１】
そして、表示装置１００は、ＬＣＤ１０７に表示されるコントロールパネルを通じて、使用者からの操作入力を受け付け、この操作入力に応じた操作信号をベース装置２００に無線送信し、ベース装置２００や、ＳＴＢ３００を遠隔操作することができるようにしている。
【０１２２】
［ＳＴＢ３００を遠隔操作する場合の各装置においての処理］  
次に、表示装置１００のＬＣＤ１０７に表示されるコントロールパネルを通じてＳＴＢ３００を遠隔操作する場合の表示装置１００、ベース装置２００、ＳＴＢ３００のそれぞれにおいての処理について、図５〜図７のフローチャートを参照しながら説明する。
【０１２３】
［表示装置１００においての処理］  
図５は、表示装置１００の電源が投入された後において、表示装置１００の制御部１３０において実行される処理を説明するためのフローチャートである。図５に示すように、表示装置１００の制御部１３０は、電源が投入されると、座標検出部１２２からの検出出力を監視し、使用者によるタッチパネル１１２への接触を検出したか否かを判断し（ステップＳ１１）、タッチパネル１１２への接触が検出されるまで、待ち状態となる。
【０１２４】
ステップＳ１１の判断処理において、タッチパネル１１２への接触が行われたことを検出したときには、制御部１３０は、ＳＴＢ３００用のコントロールパネルＣＰを表示して、コントロールパネルＣＰを通じての操作入力を受け付ける（ステップＳ１２）。
【０１２５】
そして、表示装置１００の制御部１３０は、コントロールパネルＣＰへの使用者による接触を検出したか否か、すなわち、使用者からの操作入力を受け付けたか否かを判断する（ステップＳ１３）。ステップＳ１３の判断処理において、使用者からの操作入力を受け付けたと判断したときには、制御部１３０は、座標検出部１２２からの検出出力に基づいて、接触位置に表示されているコントロールパネルの操作キーを判別する（ステップＳ１４）。
【０１２６】
そして、制御部１３０は、判別した操作キーに応じた操作信号を形成して、これを送信信号形成部１１１に供給することにより送信信号を形成し（ステップＳ１５）、これを送信処理部１１２、共用器１０２、送受信アンテナ１０１を通じてベース装置２００に無線送信する（ステップＳ１６）。そして、ステップＳ１３からの処理を繰り返し、コントロールパネルを通じて使用者からの操作入力を受け付ける。
【０１２７】
また、ステップＳ１３の判断処理において、コントロールパネルへの接触が検出されないと判断されたときには、制御部１３０は、他のコントロールパネルの表示が指示されたか否かを判断する（ステップＳ１７）。このステップＳ１７の判断は、前述もしたように、この実施の形態においては、表示されているコントロールパネルの表示領域以外のタッチパネル１２１上への使用者による接触操作が行われたか否かを判断する処理である。
【０１２８】
ステップＳ１７の判断処理において、他のコントロールパネルの表示が指示されたと判断したときには、制御部１３０は、次に表示するコントロールパネル、この実施の形態においては、ベース装置２００用のコントロールパネルを表示し（ステップＳ１８）、ステップＳ１３からの処理に戻って、新たに表示されたコントロールパネルへの操作入力を受け付ける。
【０１２９】
ステップＳ１７の判断処理において、他のコントロールパネルの表示指示を受け付けていないと判断したときには、制御部１３０は、表示しているコントロールパネルの消去が指示されたか否かを判断する（ステップＳ１９）。このステップＳ１９においては、コントロールパネルがＬＣＤ１０７に表示された後、予め決められた所定時間の間、コントロールパネルに対する操作入力を受け付けなかった場合（タイムアウトの場合）、あるいは、コントロールパネルの消去を指示する所定の操作入力を受け付けたか否かを判断する。
【０１３０】
ステップＳ１９の判断処理において、コントロールパネルの消去が指示されていないと判断したときには、制御部１３０は、ステップＳ１３からの処理を繰り返し、使用者からのコントロールパネルへの操作入力を受け付けるようにする。また、ステップＳ１９において、コントロールパネルの消去が指示されたと判断したときには、表示装置１００のＬＣＤ１０７に表示しているコントロールパネルを消去し（ステップＳ２０）、ステップＳ１１からの処理を繰り返す。
【０１３１】
このように、この実施の形態の表示装置１００は、操作入力を受け付けるためのコントロールパネル表示をＬＣＤ１０７に行い、このコントロールパネル表示と、ＬＣＤ１０７の表示画面に貼付されたタッチパネル１２１と、座標検出部１２２とを用いることによって、使用者からの操作入力を受け付けて、受け付けた操作入力に応じた操作信号を形成してベース装置２００に送信することができるようにしている。
【０１３２】
［ベース装置２００においての処理］  
次に、表示装置１００から無線送信される操作信号を受信するベース装置２００において処理を図６のフローチャートを用いて説明する。この図６に示す処理もまた、ベース装置２００に主電源が投入された後に、ベース装置２００の制御部２３０において実行される処理である。
【０１３３】
ベース装置２００は、自機の主電源が投入されると、受信処理部２１２からの出力信号を監視し、表示装置１００からの操作信号を受信したか否かを判断する（ステップＳ２１）。ステップＳ２１の判断処理において、表示装置１００からの操作信号を受信していないと判断したときには、ステップＳ２１からの処理を繰り返す。
【０１３４】
ステップＳ２１の判断処理において、表示装置１００からの操作信号を受信したと判断したときには、ベース装置２００の制御部２３０は、表示装置１００からの操作信号は、ベース装置２００に対するものか否かを判断する（ステップＳ２２）。
【０１３５】
ステップＳ２２の判断処理において、表示装置１００からの操作信号が、ベース装置２００に対するものであると判断したときには、ベース装置２００の制御部２３０は、受信した表示装置１００からの操作信号に応じた処理を実行し（ステップＳ２３）、チューナ２０２を制御して選局する放送信号を変えたり、セレクタ２０６の切り換えを行うなどする。そして、ステップＳ２１からの処理を繰り返す。このように、表示装置１００を用いて、ベース装置２００を遠隔操作することができる。
【０１３６】
また、ステップＳ２２の判断処理において、表示装置１００からの操作信号が、ベース装置２００に対するものではないと判断したときには、制御部２３０は、リモコン信号形成部２４１を制御し、受信した表示装置１００からの操作信号に応じたリモコン信号を形成する（ステップＳ２４）。
【０１３７】
このステップＳ２４において形成されたリモコン信号は、ベース装置２００のリモコン信号の出力端子２４２を通じてリモコン信号送出部２５０に供給されて、外部入力装置であるＳＴＢ３００に赤外線のリモコン信号として送信される（ステップＳ２５）。これにより、表示装置１００を用い、ベース装置２００を通じて、ＳＴＢ３００を遠隔操作することができる。
【０１３８】
［ＳＴＢ３００においての処理］  
次に、ベース装置２００のリモコン信号送信部２５０から送信される赤外線のリモコン信号を受光するＳＴＢ３００においての処理について、図７のフローチャートを用いて説明する。この図７に示す処理は、ＳＴＢ３００に電源が投入さ、例えば、ラストチャンネルメモリ機能により、前回電源が落とされる直前まで選局していたチャンネルを選局するようにして、衛星放送により放送番組の映像信号と音声信号とを出力するようにした後に、ＳＴＢ３００の制御部３１０において実行される処理である。
【０１３９】
ＳＴＢ３００の制御部３１０は、リモコン受光部３３２を通じて自機宛てのリモコン信号を受信したか否かを判断する（ステップＳ３１）。ステップＳ３１の判断処理において、自機宛てのリモコン信号を受信していないと判断したときには、ステップＳ３１の処理を切り返し、自機宛てのリモコン信号を受信するまで待つ。
【０１４０】
ステップＳ３１の判断処理において、自機宛てのリモコン信号を受信したと判断したときには、ＳＴＢ３００の制御部３１０は、その自機宛てのリモコン信号に応じた制御信号を形成し（ステップＳ３２）、これを関連する各部に供給することによって、受信したリモコン信号に応じた処理を行う（ステップＳ３３）。
【０１４１】
このように、この実施の形態の双方向通信システムにおいては、ベース装置２００からの映像信号、音声信号に応じた映像、音声を表示装置１００を用いて観視し、聴取することができる。さらに、この実施の形態の双方向通信システムにおいては、表示装置１００を用いて、ベース装置２００を遠隔操作することができるとともに、表示装置１００を用い、ベース装置２００を通じて、ＳＴＢ３００を遠隔制御することができる。
【０１４２】
すなわち、表示装置１００は、モニタ受像機としての機能を有するものである。この表示装置１００のＬＣＤ１０７に、ベース装置２００からの映像信号だけでなく、コントロールパネルをも表示し、かつ、ＬＣＤ１０７にタッチパネル１２１を貼付しておくことにより、リモコン機能を付加した表示装置１００を構成するようにしている。
【０１４３】
また、この実施の形態の表示装置１００においては、前述したように、ＬＣＤ１０７に表示されるコントロールパネルは、アルファブレンディングと呼ばれる技術を用いて、透過表示され、コントロールパネルが表示されても、ベース装置２００からの映像信号による映像を見えなくしてしまうことがない。これにより、表示装置１０をリモコンとして用いるようにしても、表示装置１００のモニタ受像機としての機能を損なうことがないようにすることができる。
【０１４４】
なお、この実施の形態においては、ベース装置２００にＳＴＢ３００が接続された場合を例にして説明した。しかし、これに限るものではない。前述もしたように、ベース装置２００には、ＳＴＢ３００に変えて、ＶＴＲ、ＩＲＤ、ＤＶＤ装置などの各種の外部入力装置を接続することができる。
【０１４５】
また、図８示すように、ベース装置２００に、複数の外部入力端子を設けることにより、ＳＴＢ３００、ＶＴＲ４００、ＤＶＤ装置５００などの複数の外部入力装置を接続するようにすることもできる。この場合には、複数の外部入力端子は、図３に示したベース装置２００のセレクタ２０６に接続され、制御部２３０の制御に応じて切り換えることができるようにされる。
【０１４６】
そして、この図８に示すように、ベース装置２００に複数の外部入力装置を接続するようにした場合においては、ベース装置２００に接続した外部入力装置に対応するコントロールパネルを表示装置１００の表示画面に表示するようにする。
【０１４７】
図９は、表示装置１００に表示される複数の外部入力装置に対応するコントロールパネルの表実例を説明するための図である。図９Ａは、ＳＴＢ３００用のコントロールパネルＣＰであり、前述もしたように、電源のオン／オフキー、数字キー、チャンネルのアップ／ダウンキー、音量のアップ／ダウンキーなどからなるものである。
【０１４８】
図９Ｂは、ＶＴＲ用のコントロールパネルＣＰ１であり、電源のオン／オフキーや、ＶＴＲの操作キーに対応して、一時停止キー、早送りキー、巻き戻しキー、再生キー、停止キー、録画キーなどを有するものである。また、図９Ｃは、ＤＶＤ装置用のコントロールパネルＣＰ２であり、電源のオン／オフキーや、ＤＶＤの操作キーに対応して、一時停止キー、早送りキー、巻き戻しキー、再生キー、停止キーなどを有するものである。
【０１４９】
そして、この実施の形態においては、図１および図９に示したように、ＬＣＤ１０７の向かって右側にコントロールパネルが表示するようにされ、コントロールパネルの表示領域以外のタッチパネル上に指などの接触を繰り返すことにより、ベース装置２００およびベース装置２００に接続された各外部入力装置のそれぞれに対応するコントロールパネルをローテーションさせて表示することができるようにされている。
【０１５０】
具体的には、この実施の形態の表示装置１００においては、（１）ＳＴＢ用のコントロールパネルＣＰ→（２）ベース装置２００用のコントロールパネル→（３）ＶＴＲ４００用のコントロールパネルＣＰ１→（４）ＤＶＤ装置用のコントロールパネルＣＰ２→（５）コントロールパネル消去→（１）ＳＴＢ３００用のコントロールパネルというように、コントロールパネルをローテーションさせて表示する。
【０１５１】
この場合、前述したように、セレクタの切り換えキーを有するベース装置２００用のコントロールパネルを表示し、このコントロールパネルのセレクタの切り換えキーを操作して、ベース装置２００のセレクタ２０６を目的とする外部入力装置からの信号を出力する用に切り換えた後、目的とする外部入力装置のコントロールパネルを表示して操作することにより、目的とする外部入力装置を表示装置１００およびベース装置２００を通じて遠隔操作することができる。
【０１５２】
このように、表示装置１００のＬＣＤ１０７に表示されるコントロールパネルとタッチパネルとを用いて、ベース装置２００の電源のオン／オフ、チャネルの変更、セレクタ２０６の切り換え、ＳＴＢ３００の電源のオン／オフ、チャンネルの変更などの遠隔操作を行うことができる。また、外部入力装置が、ＶＴＲやＤＶＤ装置である場合には、電源のオン／オフ、一時停止、早送り、巻き戻し、再生、停止、録画などのそれぞれの機器が有する操作キーに応じた遠隔操作を行うことができる。
【０１５３】
なお、ベース装置２００やベース装置２００に接続された外部入力装置の遠隔操作は、前述したものに限るものではない。例えば、ベース装置２００やＳＴＢ３００が、２か国語音声（２重音声）に対応しているものであれば、主音声と副音声との切り換えキーをコントロールパネルに設けることにより、主音声と副音声との切り換えを表示装置１００のコントロールパネルを通じて遠隔操作することもできる。また、外部入力装置が、ＶＴＲやＤＶＤ装置である場合には、再生速度の調整キーをコントロールパネルに設けることにより、再生速度の調整も表示装置１００のコントロールパネルを通じて遠隔操作することもできる。
【０１５４】
このように、表示装置１００のＬＣＤ１０７に表示するコントロールパネルを通じて行う遠隔操作は、操作しようとする機器の機能に応じて各種の操作キーをコントロールパネルに設けるようにすることにより、各種の遠隔操作を行うことができる。すなわち、ベース装置２００をいわゆるゲートウエイとして用い、表示装置１００において、各種のソース情報を視聴するようにすることができる。
【０１５５】
また、複数の外部入力装置を円滑に操作するために、複数の外部入力装置分のリモコン信号送信部２５０をベース装置２００に接続し、各リモコン信号送信部を複数の外部入力装置の近傍に設置するようにしてもよい。
【０１５６】
また、ＥＰＧ用のコントロールパネルＣＰにＥＰＧ表示キーを設けることにより、ＳＴＢ３００においてＥＰＧを形成し、これをベース装置２００を通じて表示装置１００のＬＣＤ１０７に表示するようにすることができる。そして、表示装置１００のＬＣＤ１０７に表示されたＥＰＧを通じて、チャンネルの選択を行おうとする場合には、ＳＴＢ３００により作成されるＥＰＧにおいての各チャンネルに対応する表示領域を表示装置１００に設定しておく。
【０１５７】
このようにしておくことにより、表示装置１００のＬＣＤ１０７に表示されたＥＰＧ上において、目的とする放送番組に対応する表示項目が表示されているタッチパネル１２１上に指などを接触させることにより、どの放送番組が選択されたかを判別する。そして、その判別した放送番組を選局するための選局操作信号を表示装置１００において形成し、これを表示装置１００からベース装置２００を通じてＳＴＢ３００に送信する。これにより、ＥＰＧを用いて、ＳＴＢ３００の選局を制御するようにすることができる。
【０１５８】
このように、表示装置１００のＬＣＤ１０７に、ベース装置２００やベース装置２００に接続される外部入力装置に対する操作を行うための操作用表示情報を表示し、その操作用表示情報を用いて、ベース装置２００やベース装置２００に接続される外部入力装置を遠隔制御することができる。
【０１５９】
なお、この実施の形態においては、コントロールパネルの表示領域以外のタッチパネル上に指などの接触を繰り返すことにより、ベース装置２００およびベース装置２００に接続された各外部入力装置のそれぞれに対応するコントロールパネルをローテーションさせて表示するものとして説明したがこれに限るものではない。
【０１６０】
例えば、各コントロールパネルに切り換え可能な各装置に対するコントロールパネルの切り換えアイコンを設け、この切り換えアイコンを操作するようにすることにより、目的とする装置に対するコントロールパネルを表示するようにするようにしてもよい。
【０１６１】
また、ベース装置２００は、前述したように、チューナ２０２と、モデム２２０とを備えたものとして説明したが、これに限るものではない。ベース装置２００自体が、ＶＴＲとしての機能やＤＶＤ装置としての機能、あるいは、ＳＴＢとしての機能などを有するようにすることももちろんできる。
【０１６２】
また、ベース装置２００は、チューナ２０２やモデム２２０を備えることなく、かつ、ＶＴＲとしての機能やＤＶＤ装置としての機能、あるいは、ＳＴＢとしての機能などを有することなく、単に、外部入力装置からの信号を受け付けて、これを無線送信するだけのものを構成することもできる。
【０１６３】
また、前述した実施の形態においては、表示装置１００とベース装置２００とは無線通信により接続し、ベース装置２００と外部入力装置との間は、外部入力装置からベース装置２００への情報信号は、接続ケーブルを通じて有線により接続し、ベース装置２００から外部入力装置へのリモコン信号は、赤外線により無線通信により接続するようにした。しかし、これに限るものではない。
【０１６４】
表示装置１００とベース装置２００とを有線により接続するようにしてもよいし、ベース装置２００から外部入力装置へのリモコン信号も、有線により送信するようにすることもできる。また、ベース装置２００と外部入力装置との間において、情報信号とリモコン信号とを無線通信により送受するようにすることもできる。
【図面の簡単な説明】
【０１６５】
【図１】この発明による双方向通信方法が適用された双方向通信システムの一実施の形態を説明するための図である。
【図２】この発明が適用された表示装置１００の一実施の形態を説明するためのブロック図である。
【図３】ベース装置２００の一実施の形態を説明するためのブロック図である。
【図４】図１に示した双方向通信システムを構成する外部入力装置であるＳＴＢ３００を説明するためのブロック図である。
【図５】図２に示した表示装置１００において行われるコントロールパネルの表示とコントロールパネルを通じての操作入力に応じた操作信号の送信処理を説明するためのフローチャートである。
【図６】図３に示したベース装置２００において、表示装置１００からの操作信号を受信した場合の処理を説明するための図である。
【図７】図４に示したＳＴＢ３００において、ベース装置２００からのリモコン信号を受信した場合の処理を説明するための図である。
【図８】ベース装置２００に複数の外部入力装置が接続される場合の例を説明するための図である。
【図９】ベース装置２００に複数の外部入力装置が接続される場合において、各外部入力装置に対応して表示装置の表示素子に表示するコントロールパネルの例を説明するための図である。
【符号の説明】
【０１６６】
１００…表示装置、１０１…送受信アンテナ、１０２…アンテナ共用器、１０３…受信処理部、１０４…デコード部、１０５…ＯＳＤ処理部、１０６…映像信号処理部、１０７…ＬＣＤ、１０８…音声信号増幅部、１０９…スピーカ、１１１…送信信号形成部、１１２…送信処理部、１２１…タッチパネル、１２２…座標検出部、１３０…制御部、２００…ベース装置、２０１…受信アンテナ、２０２…チューナ、２０３…復調部、２０４…映像信号（Ｖｄ）の入力端子、２０５…音声信号（Ａｕ）の入力端子、２０６…セレクタ、２０７…圧縮処理部、２０８…送信信号形成部、２０９…送信処理部、２１０…アンテナ共用器、２１１…送受信アンテナ、２１２…受信処理部、２３０…制御部
【図１】
2006311593.tif 000003
【図２】
2006311593.tif 000004
【図３】
2006311593.tif 000005
【図４】
2006311593.tif 000006
【図５】
2006311593.tif 000007
【図６】
2006311593.tif 000008
【図７】
2006311593.tif 000009
【図８】
2006311593.tif 000010
【図９】
2006311593.tif 000011
【手続補正書】
【提出日】平成18年9月25日(2006.9.25)
【手続補正２】
【補正対象書類名】特許請求の範囲
【補正対象項目名】全文
【補正方法】変更
【補正の内容】
【特許請求の範囲】
【請求項１】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置であって、
前記ベース装置から送信される前記情報信号を受信する受信手段と、
前記受信手段を通じて受信された前記情報信号を、映像を表示するための映像信号に変換する変換手段と、
前記変換手段を通じて変換された前記映像信号の供給を受けて、当該映像信号に応じた映像を表示する表示手段と、
前記ベース装置を制御する操作情報を含む第１の操作用表示情報と、前記外部入力機器を制御する操作情報を含む第２の操作用表示情報とを記憶する記憶手段と、
前記記憶手段に記憶された前記第１又は第２の操作用表示情報を読み出す操作用表示情報読み出し手段と、
前記第１又は第２の操作用表示情報の表示指示入力を受け付ける表示指示受付手段と、
前記操作用表示情報読み出し手段により読み出された前記第１又は第２の操作用表示情報を、前記ベース装置からの情報信号に応じた映像と共に前記表示手段に表示させる処理を行う表示処理手段と、
前記ベース装置からの情報信号に応じた映像と共に、前記第１又は第２の操作用表示情報の一方が前記表示手段に表示されている場合に、前記表示指示受付手段を通じて前記第１又は第２の操作用表示情報の前記表示指示入力を受け付けたときには、表示されている前記第１又は前記第２の操作用表示情報とは異なる方の前記第１又は第２の操作用表示情報を読み出すよう前記操作用表示情報読み出し手段を制御し、かつ、読み出された前記第１又は第２の操作用表示情報を前記ベース装置からの情報信号に応じた映像と共に前記表示手段に表示させるよう前記表示処理手段を制御する制御手段と、
前記表示手段に表示されている前記第１又は第２の操作用表示情報に対する操作入力を受け付ける操作入力受付手段と、
前記操作入力受付手段を通じて受け付けた前記操作入力に応じた操作信号を生成する操作信号生成手段と、
前記操作信号生成手段において生成された前記操作信号を前記ベース装置に送信する送信手段と
を有することを特徴とする表示装置。
【請求項２】
請求項１に記載の表示装置であって、
前記第１又は第２の操作用表示情報の消去指示入力を受け付ける消去指示受付手段を備え、
前記ベース装置からの情報信号に応じた映像と共に、前記第１又は第２の操作用表示情報の一方が前記表示手段に表示されている場合において、前記消去指示受付手段を通じて前記第１又は第２の操作用表示情報の前記消去指示入力を受け付けたときには、あるいは、前記操作入力受け付け手段を通じて前記操作入力を一定時間受け付けなかったときには、前記制御手段は、前記表示手段に表示されている前記映像と前記第１又は第２の操作用表示情報とのうち、前記第１又は第２の操作用表示情報のみを消去するように機能することを特徴とする表示装置。
【請求項３】
請求項１に記載の表示装置であって、
前記表示手段には、タッチパネルが貼付されており、
前記制御手段は、前記表示手段に前記第１又は第２の操作用表示情報が表示されている場合において、前記第１又は第２の操作用表示情報が表示されている領域以外の領域の前記タッチパネルに対して操作がされた場合に、表示されている前記第１又は第２の操作用表示情報が最後に表示すべきものであるときには表示されている前記第１又は第２の操作用表示情報の表示を消去するようにし、表示されている前記第１又は第２の操作用表示情報が最後に表示すべきもの以外であるときには、次に表示すべき前記第１又は第２の操作用表示情報を読み出して表示する操作用表示情報を変更するように機能することを特徴とする表示装置。
【請求項４】
請求項１乃至３のいずれかに記載の表示装置であって、
前記ベース装置の前記チューナは、地上波のアナログテレビ放送信号を受信する機能を有しており、
前記第１の映像信号としての前記地上波のアナログテレビ放送信号の映像信号と外部入力機器から取得する前記第２の映像信号との中から選択され、この選択された映像信号から変換されて形成されて、前記ベース装置から送信される前記情報信号を前記受信手段を通じて受信することを特徴とする表示装置。
【請求項５】
請求項１乃至３のいずれかに記載の表示装置であって、
前記ベース装置は、通信ネットワークに接続するための接続端子を有し、前記通信ネットワークを通じて取得する表示用情報を、前記第１又は第２の映像信号に代えて選択し、これを変換することにより前記情報信号を形成して送信することができるものであり、
前記通信ネットワークを通じて取得され、前記情報信号に変換されて前記ベース装置から送信される前記情報信号を、前記受信手段を通じて受信して、前記変換手段により前記映像信号に変換し、前記映像信号に応じた映像を前記表示手段に表示することができることを特徴とする表示装置。
【請求項６】
請求項５に記載の表示装置であって、
前記表示手段にソフトウエアキーボードを表示するように制御する表示制御手段と、
前記表示手段に表示される前記ソフトウエアキーボードを通じて受け付ける電子メールなどの通信ネットワークへの送出用情報を前記ベース装置に送信する送出用情報送信手段と
を備え、
当該表示装置に対して入力された前記通信ネットワークへの送信用情報を前記ベース装置を介して、前記通信ネットワークに送出することを特徴とする表示装置。
【請求項７】
請求項５に記載の表示装置であって、
前記通信ネットワークと前記ベース装置とを介して、提供された電子メール等の受信情報を、電源が落とされても記憶保持する不揮発性メモリーを有することを特徴とする表示装置。
【請求項８】
請求項１乃至３のいずれかに記載の表示装置であって、
前記ベース装置から送信される前記情報信号は、前記第１又は第２の映像信号から選択された映像信号をデータ圧縮して形成されたものであり、
前記表示手段の前記変換手段は、前記受信手段を通じて受信された前記ベース装置からの前記情報信号を伸長処理する機能を有することを特徴とする表示装置。
【請求項９】
請求項１乃至３のいずれかに記載の表示装置であって、
前記表示処理手段は、前記映像と共に前記表示手段に表示する前記操作用表示情報を、前記映像を隠すことなく表示させるアルファブレンディング技術を用いて表示することを特徴とする表示装置。
【請求項１０】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置の双方向通信方法であって、前記表示装置は、受信手段と、変換手段と、表示手段と、記憶手段と、表示指示受付手段と、表示処理手段と、制御手段と、操作入力受付手段と、操作信号生成手段と、送信手段とを備えており、
前記ベース装置から送信される前記情報信号を、前記受信手段を通じて受信する受信ステップと、
前記受信ステップにおいて受信した前記情報信号を、前記変換手段を通じて映像を表示するための映像信号に変換する変換ステップと、
前記変換ステップにおいて変換した前記映像信号を前記表示手段に供給して、当該映像信号に応じた映像を前記表示手段に表示する表示ステップと、
前記記憶手段に予め記憶されている、前記ベース装置を制御する操作情報を含む第１の操作用表示情報又は前記外部入力機器を制御する操作情報を含む第２の操作用表示情報の表示指示入力を前記表示指示受付手段を通じて受け付ける表示指示受付ステップと、
前記ベース装置からの情報信号に応じた映像と共に、前記第１又は第２の操作用表示情報の一方が前記表示手段に表示されている場合に、前記表示指示受付手段を通じて前記第１又は第２の操作用表示情報の前記表示指示入力を受け付けたときには、前記制御手段が、表示されている前記第１又は前記第２の操作用表示情報とは異なる方の前記第１又は第２の操作用表示情報を読み出すよう前記操作用表示情報読み出し手段を制御し、かつ、読み出された前記第１又は第２の操作用表示情報を前記ベース装置からの情報信号に応じた映像と共に前記表示手段に表示させるよう前記表示処理手段を制御する制御ステップと、
前記操作入力受付手段を通じて前記表示手段に表示されている前記第１又は第２の操作用表示情報に対する操作入力を受け付ける操作入力受付ステップと、
前記操作入力受付ステップにおいて受け付けた前記操作入力に応じた操作信号を、前記操作信号生成手段を通じて生成する操作信号生成ステップと、
前記操作信号生成ステップにおいて生成された前記操作信号を、前記送信手段を通じて前記ベース装置に送信する送信ステップと
を有することを特徴とする表示装置の双方向通信方法。
【請求項１１】
請求項１０に記載の表示装置の双方向通信方法であって、
前記表示装置は、消去指示受付手段を備えており、
前記消去指示受付手段を通じて、前記第１又は第２の操作用表示情報の消去指示入力を受け付ける消去指示受付ステップと、
前記ベース装置からの情報信号に応じた映像と共に、前記第１又は第２の操作用表示情報の一方が前記表示手段に表示されている場合において、前記消去指示受付ステップを通じて前記第１又は第２の操作用表示情報の前記消去指示入力を受け付けたときには、あるいは、前記操作入力受け付けステップを通じて前記操作入力を一定時間受け付けなかったときには、前記制御手段が、前記表示手段に表示されている前記映像と前記第１又は第２の操作用表示情報とのうち、前記第１又は第２の操作用表示情報のみを消去するようにする操作用表示情報消去ステップと
を備えることを特徴とする双方向通信方法。
【請求項１２】
請求項１０に記載の表示装置の双方向通信方法であって、
前記表示手段には、タッチパネルが貼付されており、
前記表示手段に前記第１又は第２の操作用表示情報が表示されている場合において、前記第１又は第２の操作用表示情報が表示されている領域以外の領域の前記タッチパネルに対して操作がされた場合に、前記制御手段が、表示されている前記第１又は第２の操作用表示情報が最後に表示すべきものであるときには表示されている前記第１又は第２の操作用表示情報の表示を消去するようにし、表示されている前記第１又は第２の操作用表示情報が最後に表示すべきもの以外であるときには、次に表示すべき前記第１又は第２の操作用表示情報を読み出して表示する操作用表示情報を変更するようにするステップを備えることを特徴とする表示装置の双方向通信方法。
【請求項１３】
請求項１０乃至１２のいずれかに記載の表示装置の双方向通信方法であって、
前記ベース装置の前記チューナは、地上波のアナログテレビ放送信号を受信する機能を有しており、
前記受信ステップにおいては、前記第１の映像信号としての前記地上波のアナログテレビ放送信号の映像信号と外部入力機器から取得する前記第２の映像信号との中から選択され、この選択された映像信号から変換されて形成されて、前記ベース装置から送信される前記情報信号を前記受信手段を通じて受信することを特徴とする表示装置の双方向通信方法。
【請求項１４】
請求項１０乃至１２のいずれかに記載の表示装置の双方向通信方法であって、
前記ベース装置は、通信ネットワークに接続するための接続端子を有し、前記通信ネットワークを通じて取得する表示用情報を、前記第１又は第２の映像信号に代えて選択し、これを変換することにより前記情報信号を形成して送信することができるものであり、
前記受信ステップにおいては、前記通信ネットワークを通じて取得され、前記情報信号に変換されて前記ベース装置から送信される前記情報信号を、前記受信手段を通じて受信することができることを特徴とする表示装置。
【請求項１５】
請求項１４に記載の表示装置の双方向通信方法であって、
前記表示手段にソフトウエアキーボードを表示するようにする表示制御ステップと、
前記表示手段に表示される前記ソフトウエアキーボードを通じて受け付ける電子メールなどの通信ネットワークへの送出用情報を前記ベース装置に送信する送出用情報送信ステップと
を備え、
当該表示装置に対して入力された前記通信ネットワークへの送信用情報を前記ベース装置を介して、前記通信ネットワークに送出できることを特徴とする表示装置の双方向通信方法。
【請求項１６】
請求項１４に記載の表示装置の双方向通信方法であって、
前記通信ネットワークと前記ベース装置とを介して、提供された電子メール等の受信情報を、電源が落とされても記憶保持する不揮発性メモリーに格納するステップを有することを特徴とする表示装置の双方向通信方法。
【請求項１７】
請求項１０乃至１２のいずれかに記載の表示装置の双方向通信方法であって、
前記ベース装置から送信される前記情報信号は、前記第１又は第２の映像信号から選択された映像信号をデータ圧縮して形成されたものであり、
前記表示手段の前記変換ステップにおいては、前記受信手段を通じて受信された前記ベース装置からの前記情報信号を伸長処理することができることを特徴とする表示装置の双方向通信方法。
【請求項１８】
請求項１０乃至１２のいずれかに記載の表示装置の双方向通信方法であって、
前記制御ステップにおいては、前記映像と共に前記表示手段に表示する前記操作用表示情報を、前記映像を隠すことなく表示させるアルファブレンディング技術を用いて表示するように前記表示処理手段を制御することを特徴とする表示装置の双方向通信方法。
【請求項１９】
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置に搭載されたコンピュータが実行するコンピュータ用プログラムが記録された記録媒体であって、前記表示装置は、受信手段と、変換手段と、表示手段と、記憶手段と、表示指示受付手段と、表示処理手段と、制御手段と、操作入力受付手段と、操作信号生成手段と、送信手段とを備えており、
前記ベース装置から送信される前記情報信号を、前記受信手段を通じて受信する受信ステップと、
前記受信ステップにおいて受信した前記情報信号を、前記変換手段を通じて映像を表示するための映像信号に変換する変換ステップと、
前記変換ステップにおいて変換した前記映像信号を前記表示手段に供給して、当該映像信号に応じた映像を前記表示手段に表示する表示ステップと、
前記記憶手段に予め記憶されている、前記ベース装置を制御する操作情報を含む第１の操作用表示情報又は前記外部入力機器を制御する操作情報を含む第２の操作用表示情報の表示指示入力を前記表示指示受付手段を通じて受け付ける表示指示受付ステップと、
前記ベース装置からの情報信号に応じた映像と共に、前記第１又は第２の操作用表示情報の一方が前記表示手段に表示されている場合に、前記表示指示受付手段を通じて前記第１又は第２の操作用表示情報の前記表示指示入力を受け付けたときには、前記制御手段が、表示されている前記第１又は前記第２の操作用表示情報とは異なる方の前記第１又は第２の操作用表示情報を読み出すよう前記操作用表示情報読み出し手段を制御し、かつ、読み出された前記第１又は第２の操作用表示情報を前記ベース装置からの情報信号に応じた映像と共に前記表示手段に表示させるよう前記表示処理手段を制御する制御ステップと、
前記操作入力受付手段を通じて前記表示手段に表示されている前記第１又は第２の操作用表示情報に対する操作入力を受け付ける操作入力受付ステップと、
前記操作入力受付ステップにおいて受け付けた前記操作入力に応じた操作信号を、前記操作信号生成手段を通じて生成する操作信号生成ステップと、
前記操作信号生成ステップにおいて生成された前記操作信号を、前記送信手段を通じて前記ベース装置に送信する送信ステップと
を実行することを特徴とするコンピュータ用プログラムが記録された記録媒体。
【請求項２０】
請求項１９に記載のコンピュータ用プログラムが記録された記録媒体であって、
前記表示装置は、消去指示受付手段を備えており、
前記消去指示入力受付手段を通じて、前記第１又は第２の操作用表示情報の消去指示入力を受け付ける消去指示受付ステップと、
前記ベース装置からの情報信号に応じた映像と共に、前記第１又は第２の操作用表示情報の一方が前記表示手段に表示されている場合において、前記消去指示受付ステップを通じて前記第１又は第２の操作用表示情報の前記消去指示入力を受け付けたときには、あるいは、前記操作入力受け付けステップを通じて前記操作入力を一定時間受け付けなかったときには、前記制御手段が、前記表示手段に表示されている前記映像と前記操作用表示情報とのうち、前記第１又は第２の操作用表示情報のみを消去するようにする操作用表示情報消去ステップと
を実行することを特徴とするコンピュータ用プログラムが記録された記録媒体。
【請求項２１】
請求項１９に記載のコンピュータ用プログラムが記録された記録媒体であって、
前記表示手段には、タッチパネルが貼付されており、
前記表示手段に前記第１又は第２の操作用表示情報が表示されている場合において、前記第１又は第２の操作用表示情報が表示されている領域以外の領域の前記タッチパネルに対して操作がされた場合に、前記制御手段が、表示されている前記第１又は第２の操作用表示情報が最後に表示すべきものであるときには表示されている前記第１又は第２の操作用表示情報の表示を消去するようにし、表示されている前記第１又は第２の操作用表示情報が最後に表示すべきもの以外であるときには、次に表示すべき前記第１又は第２の操作用表示情報を読み出して表示する操作用表示情報を変更するようにするステップを備えることを特徴とするコンピュータ用プログラムが記録された記録媒体。
【請求項２２】
請求項１９乃至２１のいずれかに記載のコンピュータ用プログラムが記録された記録媒体であって、
前記ベース装置の前記チューナは、地上波のアナログテレビ放送信号を受信する機能を有しており、
前記受信ステップにおいては、前記第１の映像信号としての前記地上波のアナログテレビ放送信号の映像信号と外部入力機器から取得する前記第２の映像信号との中から選択され、この選択された映像信号から変換されて形成されて、前記ベース装置から送信される前記情報信号を前記受信手段を通じて受信することを特徴とするコンピュータ用プログラムが記録された記録媒体。
【請求項２３】
請求項１９乃至２１のいずれかに記載のコンピュータ用プログラムが記録された記録媒体であって、
前記ベース装置は、通信ネットワークに接続するための接続端子を有し、前記通信ネットワークを通じて取得する表示用情報を、前記第１又は第２の映像信号に代えて選択し、これを変換することにより前記情報信号を形成して送信することができるものであり、
前記受信ステップにおいては、前記通信ネットワークを通じて取得され、前記情報信号に変換されて前記ベース装置から送信される前記情報信号を、前記受信手段を通じて受信することができることを特徴とするコンピュータ用プログラムが記録された記録媒体。
【請求項２４】
請求項２３に記載のコンピュータ用プログラムが記録された記録媒体であって、
前記表示手段にソフトウエアキーボードを表示するようにする表示制御ステップと、
前記表示手段に表示される前記ソフトウエアキーボードを通じて受け付ける電子メールなどの通信ネットワークへの送出用情報を前記ベース装置に送信する送出用情報送信ステップと
を備え、
当該表示装置に対して入力された前記通信ネットワークへの送信用情報を前記ベース装置を介して、前記通信ネットワークに送出できることを特徴とするコンピュータ用プログラムが記録された記録媒体。
【請求項２５】
請求項２３に記載のコンピュータ用プログラムが記録された記録媒体であって、
前記通信ネットワークと前記ベース装置とを介して提供された電子メール等の受信情報を、電源が落とされても記憶保持する不揮発性メモリーに格納するステップを有することを特徴とするコンピュータ用プログラムが記録された記録媒体。
【請求項２６】
請求項１９乃至２１のいずれかに記載のコンピュータ用プログラムが記録された記録媒体であって、
前記ベース装置から送信される前記情報信号は、前記第１又は第２の映像信号から選択された映像信号をデータ圧縮して形成されたものであり、
前記表示手段の前記変換ステップにおいては、前記受信手段を通じて受信された前記ベース装置からの前記情報信号を伸長処理することができることを特徴とするコンピュータ用プログラムが記録された記録媒体。
【請求項２７】
請求項１９乃至２１のいずれかに記載のコンピュータ用プログラムが記録された記録媒体であって、
前記制御ステップにおいては、前記映像と共に前記表示手段に表示する前記操作用表示情報を、前記映像を隠すことなく表示させるアルファブレンディング技術を用いて表示するように前記表示処理手段を制御することを特徴とするコンピュータ用プログラムが記録された記録媒体。
【手続補正３】
【補正対象書類名】明細書
【補正対象項目名】０００１
【補正方法】変更
【補正の内容】
【０００１】
この発明は、所定の電子機器との間で双方向に通信を行う例えばテレビ受像機等の表示装置、この表示装置で用いられる方法、プログラムが記録された記録媒体に関する。
【手続補正４】
【補正対象書類名】明細書
【補正対象項目名】０００９
【補正方法】変更
【補正の内容】
【０００９】
上記課題を解決するため、請求項１に記載の発明の表示装置は、
受信した操作信号に従って、チューナを介して放送信号から取得する第１の映像信号と外部入力機器から取得する第２の映像信号との中から１つの映像信号を選択し、選択した映像信号から変換した情報信号を送信するベース装置と双方向通信を行う表示装置であって、
前記ベース装置から送信される前記情報信号を受信する受信手段と、
前記受信手段を通じて受信された前記情報信号を、映像を表示するための映像信号に変換する変換手段と、
前記変換手段を通じて変換された前記映像信号の供給を受けて、当該映像信号に応じた映像を表示する表示手段と、
前記ベース装置を制御する操作情報を含む第１の操作用表示情報と、前記外部入力機器を制御する操作情報を含む第２の操作用表示情報とを記憶する記憶手段と、
前記記憶手段に記憶された前記第１又は第２の操作用表示情報を読み出す操作用表示情報読み出し手段と、
前記第１又は第２の操作用表示情報の表示指示入力を受け付ける表示指示受付手段と、
前記操作用表示情報読み出し手段により読み出された前記第１又は第２の操作用表示情報を、前記ベース装置からの情報信号に応じた映像と共に前記表示手段に表示させる処理を行う表示処理手段と、
前記ベース装置からの情報信号に応じた映像と共に、前記第１又は第２の操作用表示情報の一方が前記表示手段に表示されている場合に、前記表示指示受付手段を通じて前記第１又は第２の操作用表示情報の前記表示指示入力を受け付けたときには、表示されている前記第１又は前記第２の操作用表示情報とは異なる方の前記第１又は第２の操作用表示情報を読み出すよう前記操作用表示情報読み出し手段を制御し、かつ、読み出された前記第１又は第２の操作用表示情報を前記ベース装置からの情報信号に応じた映像と共に前記表示手段に表示させるよう前記表示処理手段を制御する制御手段と、
前記表示手段に表示されている前記第１又は第２の操作用表示情報に対する操作入力を受け付ける操作入力受付手段と、
前記操作入力受付手段を通じて受け付けた前記操作入力に応じた操作信号を生成する操作信号生成手段と、
前記操作信号生成手段において生成された前記操作信号を前記ベース装置に送信する送信手段と
を有することを特徴とする。
【手続補正５】
【補正対象書類名】明細書
【補正対象項目名】００１０
【補正方法】変更
【補正の内容】
【００１０】
この請求項１に記載の発明の表示装置によれば、記憶手段には、少なくとも、操作入力に応じて前記ベース装置を制御する操作情報を含む第１の操作用表示情報と、操作入力に応じて前記外部入力機器を制御する操作情報を含む第２の操作用表示情報とが記憶されている。表示指示受付手段を通じて受け付けた表示指示入力に応じて、操作用表示情報読出手段により選択するようにされて読み出された第１又は第２の操作用表示情報が、変換手段により変換されて表示手段に供給される映像信号に応じた映像と共に表示手段に表示するようにされる。
【手続補正６】
【補正対象書類名】明細書
【補正対象項目名】００１１
【補正方法】変更
【補正の内容】
【００１１】
そして、操作入力受付手段により、操作用表示情報に対する操作入力が受け付けられ、これに応じた操作信号が操作信号生成手段によって生成され、これが送信手段によりベース装置に送信される。
【手続補正７】
【補正対象書類名】明細書
【補正対象項目名】００１２
【補正方法】変更
【補正の内容】
【００１２】
これにより、表示指示入力に応じて、目的とする第１又は第２の操作用表示情報をベース装置からの情報信号に応じた映像と共に表示手段に表示し、これに対する操作入力を受け付けて、これに応じてベース装置を制御し、目的とする情報信号の提供を受けて、目的とする映像を表示し、利用することができるようにされる。すなわち、煩わしい操作を行うことなく遠隔操作を行うことを可能にし、より使い勝手のよいホームネットワークを構築することができるようにされる。
【手続補正８】
【補正対象書類名】明細書
【補正対象項目名】００１３
【補正方法】変更
【補正の内容】
【００１３】
また、請求項３に記載の発明の表示装置は、請求項１に記載の表示装置であって、
前記表示手段には、タッチパネルが貼付されており、
前記制御手段は、前記表示手段に前記第１又は第２の操作用表示情報が表示されている場合において、前記第１又は第２の操作用表示情報が表示されている領域以外の領域の前記タッチパネルに対して操作がされた場合に、表示されている前記第１又は第２の操作用表示情報が最後に表示すべきものであるときには表示されている前記第１又は第２の操作用表示情報の表示を消去するようにし、表示されている前記第１又は第２の操作用表示情報が最後に表示すべきもの以外であるときには、次に表示すべき前記第１又は第２の操作用表示情報を読み出して表示する操作用表示情報を変更するように機能することを特徴とする。
【手続補正９】
【補正対象書類名】明細書
【補正対象項目名】００１４
【補正方法】変更
【補正の内容】
【００１４】
この請求項３に記載の発明の表示装置によれば、表示手段に何らかの操作用表示情報が表示されている場合に、タッチパネルを通じて当該操作用表示情報の表示領域以外の領域に対する操作を受け付けた場合には、表示されている操作用表示情報が最後に表示すべき操作用表示情報以外の時には、別の操作用表示情報を表示するようにされる。また、最後に表示すべき操作用表示情報が表示されているときには、表示されている操作用表示情報のみが消去するようにされる。
【手続補正１０】
【補正対象書類名】明細書
【補正対象項目名】００１５
【補正方法】変更
【補正の内容】
【００１５】
これにより、利用可能な操作用表示情報を切り換えて（任意に選択して）、目的とする操作入力を表示装置に対して入力し、ベース装置を遠隔操作することができると共に、表示するようにした操作用表示情報を消去することもできるようにされる。すなわち、煩わしい操作を行うことなく遠隔操作を行うことを可能にし、より使い勝手のよいホームネットワークを構築することができるようにされる。
【手続補正１１】
【補正対象書類名】明細書
【補正対象項目名】００１８
【補正方法】変更
【補正の内容】
【００１８】
以下、図を参照しながらこの発明による装置、方法、プログラム記録媒体の一実施の形態について説明する。  
［双方向通信システムの概要］  
図１は、この実施の形態の双方向通信システムを説明するための図である。図１に示すように、この実施の形態の双方向通信システムは、表示装置１００、ベース装置（ベースステーション）２００、外部入力装置としてのＳＴＢ３００とからなっている。
【手続補正１２】
【補正対象書類名】明細書
【補正対象項目名】００９３
【補正方法】変更
【補正の内容】
【００９３】
また、制御部２３０は、受信処理部２１２からの信号が、目的とするホームページの取得要求や、電子メールの受信要求、あるいは、電子メールの送信要求などであるときには、モデム部２２０を制御し、加入しているＩＳＰとの間に電話回線を接続することによって、インターネットに接続する。
【手続補正１３】
【補正対象書類名】明細書
【補正対象項目名】０１２０
【補正方法】変更
【補正の内容】
【０１２０】
このようにしてベース装置２００から無線送信される映像信号や音声信号を表示装置１００を通じて受信し、再生して出力し、表示装置１００を通じて、目的とする地上波のアナログテレビ放送信号により提供される放送番組や、デジタル衛星放送により提供されるテレビ放送番組、インターネットなどのネットワークを通じて提供される情報を視聴することができることができるようにされる。
【手続補正１４】
【補正対象書類名】明細書
【補正対象項目名】０１４３
【補正方法】変更
【補正の内容】
【０１４３】
また、この実施の形態の表示装置１００においては、前述したように、ＬＣＤ１０７に表示されるコントロールパネルは、アルファブレンディングと呼ばれる技術を用いて、透過表示され、コントロールパネルが表示されても、ベース装置２００からの映像信号による映像を見えなくしてしまうことがない。これにより、表示装置１００をリモコンとして用いるようにしても、表示装置１００のモニタ受像機としての機能を損なうことがないようにすることができる。